(57)【要約】【課題】フレアやゴーストの発生を抑制できるようにする。【解決手段】アレイ状に配置された画素単位で光電変換により入射光の光量に応じた画素信号を生成する画素アレイの受光面に貼り合わされるガラス基板上の、画素アレイの有効画素領域より外側である周辺部であって、かつ、遮光膜画素アレイの受光面よりも、入射光の光源側である、画素アレイの前段側に、遮光膜が形成される。本開示は、撮像装置に適応することができる。【選択図】図２
2018200980.tif 000002
【特許請求の範囲】
【請求項１】
アレイ状に配置された画素単位で光電変換により入射光の光量に応じた画素信号を生成する画素アレイと、
前記画素アレイの受光面に貼り合わされるガラス基板と、
前記画素アレイの有効画素領域より外側である周辺部に形成される遮光膜とを含み、
前記遮光膜は、前記入射光の入射方向に対して、前記ガラス基板の前段に形成される
撮像装置。
【請求項２】
前記遮光膜は、前記ガラス基板上に形成される
請求項１に記載の撮像装置。
【請求項３】
前記ガラス基板の前段であって、前記ガラス基板上、および前記遮光膜上に、前記入射光のうち、赤外光をカットする赤外光カットフィルタがさらに形成される
請求項２に記載の撮像装置。
【請求項４】
前記赤外光カットフィルタの前段であって、前記赤外光カットフィルタ上に非平坦膜がさらに形成される
請求項３に記載の撮像装置。
【請求項５】
前記非平坦膜は、非平坦性が所定値より高い
請求項３に記載の撮像装置。
【請求項６】
前記遮光膜は、感光性のブラックレジストであり、前記ガラス基板上にフォトリソグラフィにより形成される
請求項２に記載の撮像装置。
【請求項７】
前記ガラス基板における受光面に、前記入射光のうち、赤外光をカットする赤外光カットフィルタをさらに含み、
前記遮光膜は、前記赤外光カットフィルタの前段に形成される
請求項１に記載の撮像装置。
【請求項８】
前記遮光膜は、前記赤外光カットフィルタ上に形成される
請求項７に記載の撮像装置。
【請求項９】
前記赤外光カットフィルタの前段に形成される非平坦膜をさらに含む
請求項８に記載の撮像装置。
【請求項１０】
前記非平坦膜は、所定の非平坦性より高い
請求項９に記載の撮像装置。
【請求項１１】
前記遮光膜は、感光性のブラックレジストであり、前記赤外光カットフィルタ上にフォトリソグラフィにより形成される
請求項８に記載の撮像装置。
【請求項１２】
前記ガラス基板における受光面に、前記入射光のうち、赤外光をカットする赤外光カットフィルタと、
前記赤外光カットフィルタの前段に形成される非平坦膜とをさらに含み、
前記遮光膜は、前記非平坦膜の前段に形成される
請求項１に記載の撮像装置。
【請求項１３】
前記遮光膜は、前記非平坦膜上に形成される
請求項１２に記載の撮像装置。
【請求項１４】
前記遮光膜は、非感光性のブラックレジストであり、前記非平坦膜上にインクジェットにより形成される
請求項１３に記載の撮像装置。
【請求項１５】
前記非平坦膜は、所定の非平坦性より高い
請求項１３に記載の撮像装置。
【請求項１６】
前記ガラス基板は、透明の接着剤により前記画素アレイの受光面に貼り合わされる
請求項１に記載の撮像装置。
【請求項１７】
前記画素アレイと前記ガラス基板とは、キャビティのある状態で貼り合わされている
請求項１６に記載の撮像装置。
【請求項１８】
前記キャビティはスペーサにより形成される
請求項１７に記載の撮像装置。
【請求項１９】
アレイ状に配置された画素単位で光電変換により入射光の光量に応じた画素信号を生成する画素アレイと、
前記画素アレイの受光面に貼り合わされるガラス基板と、
前記画素アレイの有効画素領域より外側である周辺部に形成される遮光膜とを含み、
前記遮光膜は、前記入射光の入射方向に対して、前記ガラス基板の前段に形成される
固体撮像素子。
【請求項２０】
アレイ状に配置された画素単位で光電変換により入射光の光量に応じた画素信号を生成する画素アレイと、
前記画素アレイの受光面に貼り合わされるガラス基板と、
前記画素アレイの有効画素領域より外側である周辺部に形成される遮光膜とを含み、
前記遮光膜は、前記入射光の入射方向に対して、前記ガラス基板の前段に形成される
電子機器。
【発明の詳細な説明】
【技術分野】
【０００１】
本開示は、撮像装置および固体撮像素子、並びに電子機器に関し、特に、フレアやゴーストを低減できるようにした撮像装置および固体撮像素子、並びに電子機器に関する。
【背景技術】
【０００２】
CSP（Chip Size Package）構造のCMOS（Complementary Metal Oxide Semiconductor）などに代表される固体撮像素子（イメージセンサ）の構成として、撮像面上に透明の接着剤を用いて、ガラス基板を貼り合わせることでCSP構造の固体撮像素子を保護する技術が提案されている（特許文献１，２参照）。
【先行技術文献】
【特許文献】
【０００３】
【特許文献１】特開２００４−２０７４６１号公報
【特許文献２】特開２００８−２７０６５０号公報
【発明の概要】
【発明が解決しようとする課題】
【０００４】
ところで、特許文献１，２に記載の技術においては、光の入射方向に対して、ガラス基板から離間した位置に、IRCF（赤外線カットフィルタ）が設けられている。このIRCFは、外周を取り囲む周辺部に、フレアやゴーストの発生を抑制するための遮光膜が形成されている。
【０００５】
しかしながら、IRCFとガラス基板とは離間しているため、IRCFの周辺部に設けられる遮光膜では、フレアやゴーストの対策として十分ではない。
【０００６】
また、遮光膜は、IRCFの周辺部に印刷により形成され、遮光膜が形成されたIRCFが、固体撮像素子の前段に配置されるが、遮光膜が印刷される際と、固体撮像素子の前段に配置される際とのいずれにおいても、位置精度が十分ではないため、やはりフレアやゴーストの対策としては十分ではない。
【０００７】
さらに、WCSP（Waferlevel Chip Size Package）構造における固体撮像素子におけるガラス基板の端面で反射する迷光によるフレアに対しての対策も十分ではない。
【０００８】
本開示は、このような状況に鑑みてなされたものであり、特に、固体撮像素子の撮像面に透明の接着剤により貼り付けられるガラス基板の受光面上の周辺部に遮光膜を形成することで、フレアやゴーストの発生を抑制できるようにするものである。
【課題を解決するための手段】
【０００９】
本開示の一側面の撮像装置は、アレイ状に配置された画素単位で光電変換により入射光の光量に応じた画素信号を生成する画素アレイと、前記画素アレイの受光面に貼り合わされるガラス基板と、前記画素アレイの有効画素領域より外側である周辺部に形成される遮光膜とを含み、前記遮光膜は、前記入射光の入射方向に対して、前記ガラス基板の前段に形成される撮像装置である。
【００１０】
前記遮光膜は、前記ガラス基板上に形成されるようにすることができる。
【００１１】
前記ガラス基板の前段であって、前記ガラス基板上、および前記遮光膜上に、前記入射光のうち、赤外光をカットする赤外光カットフィルタがさらに形成されるようにすることができる。
【００１２】
前記赤外光カットフィルタの前段であって、前記赤外光カットフィルタ上に非平坦膜がさらに形成されるようにすることができる。
【００１３】
前記非平坦膜は、非平坦性が所定値より高くすることができる。
【００１４】
前記遮光膜は、感光性のブラックレジストであり、前記ガラス基板上にフォトリソグラフィにより形成されるようにすることができる。
【００１５】
前記ガラス基板における受光面に、前記入射光のうち、赤外光をカットする赤外光カットフィルタをさらに含ませるようにすることができ、前記遮光膜は、前記赤外光カットフィルタの前段に形成されるようにすることができる。
【００１６】
前記遮光膜は、前記赤外光カットフィルタ上に形成されるようにすることができる。
【００１７】
前記赤外光カットフィルタの前段に形成される非平坦膜をさらに含ませるようにすることができる。
【００１８】
前記非平坦膜は、所定の非平坦性より高くすることができる。
【００１９】
前記遮光膜は、感光性のブラックレジストであり、前記赤外光カットフィルタ上にフォトリソグラフィにより形成される。
【００２０】
前記ガラス基板における受光面に、前記入射光のうち、赤外光をカットする赤外光カットフィルタと、前記赤外光カットフィルタの前段に形成される非平坦膜とをさらに含ませるようにすることができ、前記遮光膜は、前記非平坦膜の前段に形成されるようにすることができる。
【００２１】
前記遮光膜は、前記非平坦膜上に形成されるようにすることができる。
【００２２】
前記遮光膜は、非感光性のブラックレジストであり、前記非平坦膜上にインクジェットにより形成されるようにすることができる。
【００２３】
前記非平坦膜は、所定の非平坦性より高くすることができる。
【００２４】
前記ガラス基板は、透明の接着剤により前記画素アレイの受光面に貼り合わされるようにすることができる。
【００２５】
前記画素アレイと前記ガラス基板とは、キャビティのある状態で貼り合わされるようにすることができる。
【００２６】
前記キャビティは、スペーサにより形成されるようにすることができる。
【００２７】
本開示の一側面の固体撮像素子は、アレイ状に配置された画素単位で光電変換により入射光の光量に応じた画素信号を生成する画素アレイと、前記画素アレイの受光面に貼り合わされるガラス基板と、前記画素アレイの有効画素領域より外側である周辺部に形成される遮光膜とを含み、前記遮光膜は、前記入射光の入射方向に対して、前記ガラス基板の前段に形成される固体撮像素子である。
【００２８】
本開示の一側面の電子機器は、アレイ状に配置された画素単位で光電変換により入射光の光量に応じた画素信号を生成する画素アレイと、前記画素アレイの受光面に貼り合わされるガラス基板と、前記画素アレイの有効画素領域より外側である周辺部に形成される遮光膜とを含み、前記遮光膜は、前記入射光の入射方向に対して、前記ガラス基板の前段に形成される電子機器である。
【００２９】
本開示の一側面においては、アレイ状に配置された画素単位で光電変換により入射光の光量に応じた画素信号を生成する画素アレイと、前記画素アレイの受光面に貼り合わされるガラス基板と、前記画素アレイの有効画素領域より外側である周辺部に形成される遮光膜とを含み、前記遮光膜は、前記入射光の入射方向に対して、前記ガラス基板の前段に形成される。
【発明の効果】
【００３０】
本開示の一側面によれば、フレアやゴーストの発生を抑制することが可能となる。
【図面の簡単な説明】
【００３１】
【図１】フレアやゴーストの発生原理を説明する図である。
【図２】撮像装置の第１の実施の形態の構成例を説明する図である。
【図３】撮像装置の第２の実施の形態の構成例を説明する図である。
【図４】撮像装置の第３の実施の形態の構成例を説明する図である。
【図５】撮像装置の第４の実施の形態の構成例を説明する図である。
【図６】撮像装置の第５の実施の形態の構成例を説明する図である。
【図７】撮像装置の第６の実施の形態の構成例を説明する図である。
【図８】撮像装置の第７の実施の形態の構成例を説明する図である。
【図９】撮像装置の第８の実施の形態の構成例を説明する図である。
【図１０】撮像装置の第９の実施の形態の構成例を説明する図である。
【図１１】本開示の固体撮像素子を適用した電子機器としての撮像装置の構成例を示すブロック図である。
【図１２】本開示の技術を適用した固体撮像素子の使用例を説明する図である。
【図１３】内視鏡手術システムの概略的な構成の一例を示す図である。
【図１４】カメラヘッド及びＣＣＵの機能構成の一例を示すブロック図である。
【図１５】車両制御システムの概略的な構成の一例を示すブロック図である。
【図１６】車外情報検出部及び撮像部の設置位置の一例を示す説明図である。
【発明を実施するための形態】
【００３２】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００３３】
以下、本開示を実施するための形態（以下、実施の形態という）について説明する。なお、説明は以下の順序で行う。
１．フレアやゴーストの発生原理
２．第１の実施の形態
３．第２の実施の形態
４．第３の実施の形態
５．第４の実施の形態
６．第５の実施の形態
７．第６の実施の形態
８．第７の実施の形態
９．第８の実施の形態
１０．第９の実施の形態
１１．電子機器への適用
１２．固体撮像装置の使用例
１３．内視鏡手術システムへの応用例
１４．移動体への応用例
【００３４】
＜１．フレアやゴーストの発生原理＞
本開示の撮像装置の構成について説明するにあたって、フレアやゴーストの発生原理について説明する。
【００３５】
まず、図１を参照して、撮像装置の構成例について説明する。尚、図１の左部は、撮像装置１の側面断面図であり、図中の上から下方向に入射光が入射する。また、図１の右部は、入射光の光源となる位置から見たIRCF１３の上面図である。
【００３６】
撮像装置１は、ケース１１、レンズ群１２、IRCF（赤外光カットフィルタ）１３、および固体撮像素子１４より構成されている。
【００３７】
ケース１１は、光軸方向に対して開口部が設けられた略円筒状の構成からなり、複数のレンズから構成されるレンズ群１２を内蔵している。
【００３８】
レンズ群１２は、複数のレンズから構成されており、入射光を集光して、固体撮像素子１４の撮像面に集光させる。
【００３９】
IRCF１３は、ケース１１の光の入射方向に対して底部となる位置に設けられており、レンズ群１２により固体撮像素子１４の撮像面に集光して透過させる光の成分のうち、赤外光成分をカットする。
【００４０】
固体撮像素子１４は、キャビティレスのCSP（Chip Size Package）構造の撮像素子であり、画素アレイ３１の撮像面上に透明の接着剤３２によりガラス基板３３が貼り付けられた構成とされている。キャビティレスとは、画素アレイ３１と、ガラス基板３３との間にキャビティ（空洞）がない構造である。画素アレイ３１は、アレイ状に配置された画素から構成され、画素単位で、レンズ群１２により集光された入射光の光を光電変換することにより、受光した光量に応じた画素信号を発生し、画像信号として図示せぬ後段の装置に出力する。
【００４１】
ところで、IRCF１３は、図１の右部で示されるように、周辺部に遮光膜１３ａが形成されており、迷光の侵入が防止される。尚、IRCF１３の中央部（図中の白字の方形範囲）には、遮光膜１３ａが設けられておらず、レンズ群１２により集光された入射光の赤外光をカットして透過させる。
【００４２】
しかしながら、IRCF１３と固体撮像素子１４のガラス基板３３とは、離間して設けられているため、レンズ群１６を透過する光には、例えば、図１の矢印で示される光線Ｌのような迷光となり得る光があり、遮光膜１３ａにより遮光することができないことがある。図１の場合、光線Ｌは、IRCF１３の中央部を透過して、固体撮像素子１４のガラス基板３３の端面で反射して、画素アレイ３１の撮像面に入射し、フレアやゴーストを生じさせる。
【００４３】
＜２．第１の実施の形態＞
次に、図２を参照して、本開示の撮像装置の第１の実施の形態の構成例について説明する。尚、図２は、上段が撮像装置１の側面断面図であり、下段が遮光部３４の入射光の入射方向から見た上面図である。また、図２の撮像装置１において、図１の撮像装置１と同一の機能を備えた構成については、同一の符号を付しており、その説明は適宜省略する。
【００４４】
すなわち、図２の撮像装置１において、図１の撮像装置１と異なる点は、遮光膜１３ａが形成されていないIRCF１３が設けられ、さらに、ガラス基板３３の入射光が入射する面（図中の上面）上の周辺部Ｚ２に遮光膜３４が形成されている点である。尚、中央部Ｚ１には、遮光膜３４が形成されておらず、赤外光がカットされた入射光を透過させる。
【００４５】
遮光膜３４は、感光性のブラックレジストからなり、固体撮像素子１４を製造する際の半導体プロセスの中で、ダイシングの前にフォトリソグラフィによりガラス基板３３上に形成されることが望ましい。遮光膜３４がダイシングの前にガラス基板３３上に形成されると、遮光膜３４の端部と固体撮像素子１４の端部とが同一面となる。
【００４６】
このような構成により、図２の撮像装置１におけるガラス基板３３上に設けられた遮光膜３４は、図１における撮像装置１におけるIRCF１３上に遮光膜１３ａが設けられるよりも、画素アレイ３１の受光面に対して、より近い位置に形成されるので、図１で示される光線Ｌのような迷光の侵入を防止することが可能となる。
【００４７】
また、このような構成により、画素アレイ３１上に透明の接着剤により貼り合わされたガラス基板３３上に遮光膜３４を形成することができるので、画素アレイ３１上の有効画素領域の境界となる範囲まで、高い位置精度で遮光膜３４を形成することができるので、より高精度に迷光の侵入を抑制することが可能となる。
【００４８】
結果として、迷光の侵入が防止されることで、フレアやゴーストの発生を抑制することが可能となる。
【００４９】
＜３．第２の実施の形態＞
以上においては、レンズ群１６の直下にIRCF１３を設ける例について説明してきたが、IRCFをガラス基板３３の受光面側に形成し、IRCFの下部に遮光膜３４を設けるようにしてもよい。
【００５０】
図３は、IRCF１３に対応するIRCF５１をガラス基板３３および遮光膜３４の受光面側に形成するようにした撮像装置１の構成例が示されている。尚、図３の撮像装置１において、図２の撮像装置１と同一の機能を備えた構成については、同一の符号を付しており、その説明は適宜省略する。
【００５１】
すなわち、図３の撮像装置１において、図２の撮像装置１と異なる点は、IRCF５１がガラス基板３３および遮光膜３４の受光面側に形成されている点である。
【００５２】
図３の撮像装置１においても、ガラス基板３３上に設けられた遮光膜３４は、図１における撮像装置１におけるIRCF１３上に遮光膜１３ａが設けられるよりも、画素アレイ３１の受光面に対して、より近い位置に設けられるので、図１で示される光線Ｌのような迷光の侵入を防止することが可能となる。
【００５３】
また、このような構成においても、画素アレイ３１上の有効画素領域の境界となる範囲まで、高い位置精度で遮光膜３４を形成することができるので、より高精度に迷光の侵入を抑制することが可能となる。
【００５４】
結果として、迷光の侵入が防止されることで、フレアやゴーストの発生を抑制することが可能となる。
【００５５】
＜４．第３の実施の形態＞
以上においては、遮光膜３４が、IRCF５１の入射光の受光面側に設けられる例について説明してきたが、さらに、非平坦膜を、IRCF５１の上面に形成するようにしてもよい。非平坦膜とは、レンズ等の光学素子、WLL（Wafer Level Lens）、非平坦性が所定値よりも高い有機多層膜などであり、例えば、ガラスレンズ、樹脂レンズ、単層WLL、積層WLL、光学フィルター、IRCF５１を保護するための有機多層膜などである。非平坦膜７１として、レンズやWLLを用いると、固体撮像素子１４が取り付けられるカメラモジュールを低背化することができる。レンズやWLLとしては、受光面側に凸面または凹面を有する単一レンズが設けられてもよいし、これらのレンズを複数組み合わせたレンズが設けられてもよい。
【００５６】
図４は、非平坦膜を、IRCF５１の上面に形成するようにした撮像装置１の構成例が示されている。尚、図４の撮像装置１において、図３の撮像装置１と同一の機能を備えた構成については、同一の符号を付しており、その説明は適宜省略する。
【００５７】
すなわち、図４の撮像装置１において、図３の撮像装置１と異なる点は、非平坦膜７１が、IRCF５１の上面に形成されている点である。
【００５８】
図４の撮像装置１においても、IRCF５１の下部に設けられた遮光膜３４は、図１における撮像装置１におけるIRCF１３上に遮光膜１３ａが設けられるよりも、画素アレイ３１の受光面に対して、より近い位置に設けられるので、図１で示される光線Ｌのような迷光の侵入を防止することが可能となる。
【００５９】
また、このような構成においても、画素アレイ３１上の有効画素領域の境界となる範囲まで、高い位置精度で遮光膜３４を形成することができるので、より高精度に迷光の侵入を抑制することが可能となる。
【００６０】
結果として、迷光の侵入が防止されることで、フレアやゴーストの発生を抑制することが可能となる。
【００６１】
＜５．第４の実施の形態＞
以上においては、ガラス基板３３上に遮光膜３４が設けられる例について説明してきたが、ガラス基板３３上にIRCF５１を設け、遮光膜３４は、そのIRCF５１の入射光の受光面側に設けられるようにしてもよい。
【００６２】
図５は、ガラス基板３３上にIRCF５１を設け、さらに、遮光膜３４が、IRCF５１の入射光の受光面側に設けられるようにした撮像装置１の構成例が示されている。尚、図５の撮像装置１において、図３の撮像装置１と同一の機能を備えた構成については、同一の符号を付しており、その説明は適宜省略する。
【００６３】
すなわち、図５の撮像装置１において、図３の撮像装置１と異なる点は、遮光膜３４がガラス基板３３上ではなく、IRCF５１の図中の上面に設けられている点である。
【００６４】
図５の撮像装置１においても、IRCF５１の上面に設けられた遮光膜３４は、図１における撮像装置１におけるIRCF１３上に遮光膜１３ａが設けられるよりも、画素アレイ３１の受光面に対して、より近い位置に設けられるので、図１で示される光線Ｌのような迷光の侵入を防止することが可能となる。
【００６５】
また、このような構成においても、画素アレイ３１上の有効画素領域の境界となる範囲まで、高い位置精度で遮光膜３４を形成することができるので、より高精度に迷光の侵入を抑制することが可能となる。
【００６６】
結果として、迷光の侵入が防止されることで、フレアやゴーストの発生を抑制することが可能となる。
【００６７】
＜６．第５の実施の形態＞
以上においては、遮光膜３４がIRCF５１の入射光の受光面側に設けられる例について説明してきたが、さらに、非平坦膜を、IRCF５１の上面に形成するようにしてもよい。
【００６８】
図６は、遮光膜３４がIRCF５１の入射光の受光面側に設けられ、さらに、非平坦膜を、IRCF５１の上面に形成するようにした撮像装置１の構成例が示されている。尚、図６の撮像装置１において、図５の撮像装置１と同一の機能を備えた構成については、同一の符号を付しており、その説明は適宜省略する。
【００６９】
すなわち、図６の撮像装置１において、図５の撮像装置１と異なる点は、非平坦膜７１が、IRCF５１の上面に形成されている点である。
【００７０】
図６の撮像装置１においても、IRCF５１の上面に設けられた遮光膜３４は、図１における撮像装置１におけるIRCF１３上に遮光膜１３ａが設けられるよりも、画素アレイ３１の受光面に対して、より近い位置に設けられるので、図１で示される光線Ｌのような迷光の侵入を防止することが可能となる。
【００７１】
また、このような構成においても、画素アレイ３１上の有効画素領域の境界となる範囲まで、高い位置精度で遮光膜３４を形成することができるので、より高精度に迷光の侵入を抑制することが可能となる。
【００７２】
結果として、迷光の侵入が防止されることで、フレアやゴーストの発生を抑制することが可能となる。
【００７３】
＜７．第６の実施の形態＞
以上においては、遮光膜３４がガラス基板３３、またはIRCF３４の入射光の受光面側に設けられ、さらに、非平坦膜７１が、IRCF５１の上面に形成される例について説明してきたが、遮光膜が、非平坦膜７１の表面形状に合わせて、非平坦膜７１の図中の上面に形成されるようにしてもよい。
【００７４】
図７は、IRCF５１が、ガラス基板３３上に設けられ、さらにIRCF５１上に非平坦膜７１が設けられ、そして、遮光膜が、非平坦膜７１およびIRCF５１の上面の周辺部に形成されるようにした撮像装置１の構成例が示されている。尚、図７の撮像装置１において、図６の撮像装置１と同一の機能を備えた構成については、同一の符号を付しており、その説明は適宜省略する。
【００７５】
すなわち、図７の撮像装置１において、図６の撮像装置１と異なる点は、非平坦膜７１の図中の上面であって、周辺部に遮光膜３４’が形成されている点である。
【００７６】
ここで、遮光部３４’は、非平坦膜７１の図中の上面の表面形状に合わせて形成される。このとき、遮光部３４’は、例えば、非感光性の黒色材であり、例えば、インクジェットにより形成されることが望ましい。遮光膜３４’がダイシングの前にガラス基板３３上に形成されると、遮光膜３４の端部と固体撮像素子１４の端部とが同一面となる。
【００７７】
図７の撮像装置１においても、非平坦膜７１の上面に設けられた遮光膜３４’は、図１における撮像装置１におけるIRCF１３上に遮光膜１３ａが設けられるよりも、画素アレイ３１の受光面に対して、より近い位置に設けられるので、図１で示される光線Ｌのような迷光の侵入を防止することが可能となる。
【００７８】
また、このような構成においても、画素アレイ３１上の有効画素領域の境界となる範囲まで、高い位置精度で遮光膜３４を形成することができるので、より高精度に迷光の侵入を抑制することが可能となる。
【００７９】
結果として、迷光の侵入が防止されることで、フレアやゴーストの発生を抑制することが可能となる。
【００８０】
＜８．第７の実施の形態＞
以上においては、固体撮像素子１４が、キャビティレスのCSP構造の撮像素子である例について説明してきたが、キャビティを備えたCSP構造の撮像素子であってもよい。
【００８１】
図８は、固体撮像素子１４が、キャビティを備えたCSP（Chip Size Package）構造である場合の撮像装置１の構成例が示されている。尚、図８の撮像装置１において、図２の撮像装置１と同一の機能を備えた構成については、同一の符号を付しており、その説明は適宜省略する。
【００８２】
すなわち、図８の撮像装置１においては、図２の撮像装置１におけるキャビティレスのCSP構造の固体撮像素子１４に代えて、キャビティを備えたCSP（Chip Size Package）構造の固体撮像素子１４が設けられ、さらに、ガラス基板３３および遮光膜３４上に非平坦膜７１が形成された構成とされている。
【００８３】
より詳細には、ガラス基板３３と画素アレイ３１との周辺部が接着剤３２により接着され、画素アレイ３１の有効画素領域において、画素アレイ３１とガラス基板３３との間にキャビティ（空洞）８１が形成されている。
【００８４】
このような構成により、図８の撮像装置１におけるガラス基板３３上に設けられた遮光膜３４は、図１における撮像装置１におけるIRCF１３上に遮光膜１３ａが設けられるよりも、画素アレイ３１の受光面に対して、より近い位置に形成されるので、図１で示される光線Ｌのような迷光の侵入を防止することが可能となる。
【００８５】
また、このような構成により、画素アレイ３１上に透明の接着剤３２により貼り合わされたガラス基板３３上に遮光膜３４を形成することができるので、画素アレイ３１上の有効画素領域の境界となる範囲まで、高い位置精度で遮光膜３４を形成することができるので、より高精度に迷光の侵入を抑制することが可能となる。
【００８６】
結果として、迷光の侵入が防止されることで、フレアやゴーストの発生を抑制することが可能となる。
【００８７】
＜９．第８の実施の形態＞
以上においては、固体撮像素子１４が、キャビティを備えたCSP構造であり、ガラス基板３３上の周辺部に遮光膜３４が設けられ、さらに、ガラス基板３３および遮光膜３４上に非平坦膜７１が形成される例について説明してきたが、遮光膜３４に代えて、図７を参照して説明した遮光膜３４’を用いた構成とするようにしてもよい。
【００８８】
図９は、固体撮像素子１４が、キャビティを備えたCSP（Chip Size Package）構造であり、また、ガラス基板３３上に非平坦膜７１が形成されて、さらに、非平坦膜７１上に遮光膜３４’が形成された撮像装置１の構成例が示されている。
【００８９】
尚、図９の撮像装置１において、図８の撮像装置１と同一の機能を備えた構成については、同一の符号を付しており、その説明は適宜省略する。
【００９０】
すなわち、図９の撮像装置１においては、図８の撮像装置１における遮光膜３４が削除され、さらに、非平坦膜７１上に遮光膜３４’が形成された構成とされている。
【００９１】
図９の撮像装置１においても、非平坦膜７１の上面に設けられた遮光膜３４’は、図１における撮像装置１におけるIRCF１３上に遮光膜１３ａが設けられるよりも、画素アレイ３１の受光面に対して、より近い位置に設けられるので、図１で示される光線Ｌのような迷光の侵入を防止することが可能となる。
【００９２】
また、このような構成においても、画素アレイ３１上の有効画素領域の境界となる範囲まで、高い位置精度で遮光膜３４を形成することができるので、より高精度に迷光の侵入を抑制することが可能となる。
【００９３】
結果として、迷光の侵入が防止されることで、フレアやゴーストの発生を抑制することが可能となる。
【００９４】
＜１０．第９の実施の形態＞
以上においては、画素アレイ３１とガラス基板３３との外周部が接着剤３２により接着されることで、有効画素領域における画素アレイ３１とガラス基板３３との間にキャビティ８１を備えた固体撮像素子１４を用いた撮像装置１の例について説明してきた。
【００９５】
しかしながら、画素アレイ３１とガラス基板３３との外周部にスペーサを設けるようにして、画素アレイ３１とガラス基板３３との有効画素領域においてキャビティ８１が形成されるようにしてもよい。
【００９６】
図１０は、画素アレイ３１とガラス基板３３との外周部にスペーサ９１を設けるようにして、画素アレイ３１とガラス基板３３との有効画素領域におけるキャビティ８１が形成された撮像装置１の構成例が示されている。
【００９７】
尚、図１０の撮像装置１において、図４の撮像装置１と同一の機能を備えた構成については、同一の符号を付しており、その説明は適宜省略する。
【００９８】
また、図１０の撮像装置１においては、下部に遮光膜３４が設けられたIRCF５１をガラス基板３３の受光面側に形成するようにし、さらに、上面に遮光膜３４’が設けられた非平坦膜７１を、IRCF５１の上面に形成している。
【００９９】
すなわち、図１０の撮像装置１においては、遮光膜３４と遮光膜３４’とがそれぞれ設けられている。
【０１００】
図１０の撮像装置１においても、非平坦膜７１の上面に設けられた遮光膜３４’、および、IRCF５１の下部に設けられた遮光膜３４は、いずれも図１における撮像装置１におけるIRCF１３上に遮光膜１３ａが設けられるよりも、画素アレイ３１の受光面に対して、より近い位置に設けられるので、図１で示される光線Ｌのような迷光の侵入を防止することが可能となる。
【０１０１】
また、このような構成においても、画素アレイ３１上の有効画素領域の境界となる範囲まで、高い位置精度で遮光膜３４を形成することができるので、より高精度に迷光の侵入を抑制することが可能となる。
【０１０２】
結果として、迷光の侵入が防止されることで、フレアやゴーストの発生を抑制することが可能となる。
【０１０３】
尚、固体撮像素子１４は、図２乃至図７を参照して説明した第１の実施の形態乃至第６の実施の形態の撮像装置１で示されるように、キャビティレスの構成であってもよい。さらに、固体撮像素子１４は、図８乃至図１０を参照して説明した第７の実施の形態乃至第９の実施の形態の撮像装置１で示されるように、キャビティを備えた構成であってもよい。
【０１０４】
また、キャビティを備えた固体撮像素子１４の構成においては、図１０を参照して説明した第９の実施の形態の撮像装置１で示されるように、スペーサ９１を備えた構成であってもよいし、図８，図９を参照して説明した第７の実施の形態、および第８の実施の形態の撮像装置１のようにスペーサ９１を備えていない構成であってもよい。
【０１０５】
また、IRCFは、図２，図８，図９を参照して説明した第１の実施の形態、第７の実施の形態、第８の実施の形態の撮像装置１で示されるように、レンズ群１２を内蔵したケース１１側の底部にIRCF１３として設けられる構成でもよい。さらに、IRCFは、図３乃至図７、および図１０を参照して説明した第２の実施の形態乃至第６の実施の形態、および第９の実施の形態の撮像装置１で示されるように、ガラス基板３３上にIRCF５１として設けられる構成でもよい。
【０１０６】
また、遮光膜は、図２乃至図４，図８，図１０を参照して説明した第１の実施の形態乃至第３の実施の形態、第７の実施の形態、および第９の実施の形態の撮像装置１で示されるように、ガラス基板３３上に遮光膜３４として形成される（IRCF５１の下部に設けられる）構成でもよい。さらに、遮光膜は、図５，図６を参照して説明した第４の実施の形態、および第５の実施の形態の撮像装置１で示されるように、IRCF５１上に遮光膜３４として形成される構成でもよい。また、遮光膜は、図７，図９，図１０を参照して説明した第６の実施の形態、第８の実施の形態および第９の実施の形態の撮像装置１で示されるように、非平坦膜７１上に遮光膜３４’として形成される構成でもよい。さらに、遮光膜は、図１０を参照して説明した第９の実施の形態の撮像装置１で示されるように、遮光膜３４，３４’の両方を備える構成であっても良い。
【０１０７】
また、撮像素子３１におけるキャビティ８１の有無、スペーサ９１の有無、ケース１１の底部に設けられたIRCF１３であるか、または、ガラス基板３３上に設けられたIRCF５１であるか、遮光膜３４として、ガラス基板３３上に形成されるか、若しくは、IRCF５１上に形成されるか、または、遮光膜３４’として非平坦膜７１上に形成されるかについては、いずれも適用することが可能であると共に、その組み合わせは自由にすることができる。
【０１０８】
以上の如く、本開示の撮像装置１によれば、ガラス基板３３よりも入射光の光源側である、ガラス基板３３より前段において遮光膜３４が形成されることにより、迷光の侵入を防止することができ、結果として、フレアやゴーストの発生を抑制することが可能となる。ここで、遮光膜３４は、ガラス基板３３に近い方が、より高精度にフレアやゴーストの発生を抑制することができる。
【０１０９】
＜１１．電子機器への適用例＞
上述した図２乃至図１０の撮像装置１は、例えば、デジタルスチルカメラやデジタルビデオカメラなどの撮像装置、撮像機能を備えた携帯電話機、または、撮像機能を備えた他の機器といった各種の電子機器に適用することができる。
【０１１０】
図１１は、本技術を適用した電子機器としての撮像装置の構成例を示すブロック図である。
【０１１１】
図１１に示される撮像装置２０１は、光学系２０２、シャッタ装置２０３、固体撮像素子２０４、駆動回路２０５、信号処理回路２０６、モニタ２０７、およびメモリ２０８を備えて構成され、静止画像および動画像を撮像可能である。
【０１１２】
光学系２０２は、１枚または複数枚のレンズを有して構成され、被写体からの光（入射光）を固体撮像素子２０４に導き、固体撮像素子２０４の受光面に結像させる。
【０１１３】
シャッタ装置２０３は、光学系２０２および固体撮像素子２０４の間に配置され、駆動回路２０５の制御に従って、固体撮像素子２０４への光照射期間および遮光期間を制御する。
【０１１４】
固体撮像素子２０４は、上述した固体撮像素子を含むパッケージにより構成される。固体撮像素子２０４は、光学系２０２およびシャッタ装置２０３を介して受光面に結像される光に応じて、一定期間、信号電荷を蓄積する。固体撮像素子２０４に蓄積された信号電荷は、駆動回路２０５から供給される駆動信号（タイミング信号）に従って転送される。
【０１１５】
駆動回路２０５は、固体撮像素子２０４の転送動作、および、シャッタ装置２０３のシャッタ動作を制御する駆動信号を出力して、固体撮像素子２０４およびシャッタ装置２０３を駆動する。
【０１１６】
信号処理回路２０６は、固体撮像素子２０４から出力された信号電荷に対して各種の信号処理を施す。信号処理回路２０６が信号処理を施すことにより得られた画像（画像データ）は、モニタ２０７に供給されて表示されたり、メモリ２０８に供給されて記憶（記録）されたりする。
【０１１７】
このように構成されている撮像装置２０１においても、上述した光学系２０２、および固体撮像素子２０４に代えて、レンズ群１２および固体撮像素子１４を適用することにより、迷光に起因するフレアやゴーストの発生を抑制することが可能となる。
＜１２．固体撮像装置の使用例＞
【０１１８】
図１２は、上述の図２乃至図１０の撮像装置１を使用する使用例を示す図である。
【０１１９】
上述した撮像装置１は、例えば、以下のように、可視光や、赤外光、紫外光、X線等の光をセンシングする様々なケースに使用することができる。
【０１２０】
・ディジタルカメラや、カメラ機能付きの携帯機器等の、鑑賞の用に供される画像を撮影する装置
・自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される装置
・ユーザのジェスチャを撮影して、そのジェスチャに従った機器操作を行うために、TVや、冷蔵庫、エアーコンディショナ等の家電に供される装置
・内視鏡や、赤外光の受光による血管撮影を行う装置等の、医療やヘルスケアの用に供される装置
・防犯用途の監視カメラや、人物認証用途のカメラ等の、セキュリティの用に供される装置
・肌を撮影する肌測定器や、頭皮を撮影するマイクロスコープ等の、美容の用に供される装置
・スポーツ用途等向けのアクションカメラやウェアラブルカメラ等の、スポーツの用に供される装置
・畑や作物の状態を監視するためのカメラ等の、農業の用に供される装置
【０１２１】
＜１３．内視鏡手術システムへの応用例＞
本開示に係る技術（本技術）は、様々な製品へ応用することができる。例えば、本開示に係る技術は、内視鏡手術システムに適用されてもよい。
【０１２２】
図１３は、本開示に係る技術（本技術）が適用され得る内視鏡手術システムの概略的な構成の一例を示す図である。
【０１２３】
図１３では、術者（医師）１１１３１が、内視鏡手術システム１１０００を用いて、患者ベッド１１１３３上の患者１１１３２に手術を行っている様子が図示されている。図示するように、内視鏡手術システム１１０００は、内視鏡１１１００と、気腹チューブ１１１１１やエネルギー処置具１１１１２等の、その他の術具１１１１０と、内視鏡１１１００を支持する支持アーム装置１１１２０と、内視鏡下手術のための各種の装置が搭載されたカート１１２００と、から構成される。
【０１２４】
内視鏡１１１００は、先端から所定の長さの領域が患者１１１３２の体腔内に挿入される鏡筒１１１０１と、鏡筒１１１０１の基端に接続されるカメラヘッド１１１０２と、から構成される。図示する例では、硬性の鏡筒１１１０１を有するいわゆる硬性鏡として構成される内視鏡１１１００を図示しているが、内視鏡１１１００は、軟性の鏡筒を有するいわゆる軟性鏡として構成されてもよい。
【０１２５】
鏡筒１１１０１の先端には、対物レンズが嵌め込まれた開口部が設けられている。内視鏡１１１００には光源装置１１２０３が接続されており、当該光源装置１１２０３によって生成された光が、鏡筒１１１０１の内部に延設されるライトガイドによって当該鏡筒の先端まで導光され、対物レンズを介して患者１１１３２の体腔内の観察対象に向かって照射される。なお、内視鏡１１１００は、直視鏡であってもよいし、斜視鏡又は側視鏡であってもよい。
【０１２６】
カメラヘッド１１１０２の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ：  Ｃａｍｅｒａ  Ｃｏｎｔｒｏｌ  Ｕｎｉｔ）１１２０１に送信される。
【０１２７】
ＣＣＵ１１２０１は、ＣＰＵ（Ｃｅｎｔｒａｌ  Ｐｒｏｃｅｓｓｉｎｇ  Ｕｎｉｔ）やＧＰＵ（Ｇｒａｐｈｉｃｓ  Ｐｒｏｃｅｓｓｉｎｇ  Ｕｎｉｔ）等によって構成され、内視鏡１１１００及び表示装置１１２０２の動作を統括的に制御する。さらに、ＣＣＵ１１２０１は、カメラヘッド１１１０２から画像信号を受け取り、その画像信号に対して、例えば現像処理（デモザイク処理）等の、当該画像信号に基づく画像を表示するための各種の画像処理を施す。
【０１２８】
表示装置１１２０２は、ＣＣＵ１１２０１からの制御により、当該ＣＣＵ１１２０１によって画像処理が施された画像信号に基づく画像を表示する。
【０１２９】
光源装置１１２０３は、例えばＬＥＤ（Ｌｉｇｈｔ  Ｅｍｉｔｔｉｎｇ  Ｄｉｏｄｅ）等の光源から構成され、術部等を撮影する際の照射光を内視鏡１１１００に供給する。
【０１３０】
入力装置１１２０４は、内視鏡手術システム１１０００に対する入力インタフェースである。ユーザは、入力装置１１２０４を介して、内視鏡手術システム１１０００に対して各種の情報の入力や指示入力を行うことができる。例えば、ユーザは、内視鏡１１１００による撮像条件（照射光の種類、倍率及び焦点距離等）を変更する旨の指示等を入力する。
【０１３１】
処置具制御装置１１２０５は、組織の焼灼、切開又は血管の封止等のためのエネルギー処置具１１１１２の駆動を制御する。気腹装置１１２０６は、内視鏡１１１００による視野の確保及び術者の作業空間の確保の目的で、患者１１１３２の体腔を膨らめるために、気腹チューブ１１１１１を介して当該体腔内にガスを送り込む。レコーダ１１２０７は、手術に関する各種の情報を記録可能な装置である。プリンタ１１２０８は、手術に関する各種の情報を、テキスト、画像又はグラフ等各種の形式で印刷可能な装置である。
【０１３２】
なお、内視鏡１１１００に術部を撮影する際の照射光を供給する光源装置１１２０３は、例えばＬＥＤ、レーザ光源又はこれらの組み合わせによって構成される白色光源から構成することができる。ＲＧＢレーザ光源の組み合わせにより白色光源が構成される場合には、各色（各波長）の出力強度及び出力タイミングを高精度に制御することができるため、光源装置１１２０３において撮像画像のホワイトバランスの調整を行うことができる。また、この場合には、ＲＧＢレーザ光源それぞれからのレーザ光を時分割で観察対象に照射し、その照射タイミングに同期してカメラヘッド１１１０２の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０１３３】
また、光源装置１１２０３は、出力する光の強度を所定の時間ごとに変更するようにその駆動が制御されてもよい。その光の強度の変更のタイミングに同期してカメラヘッド１１１０２の撮像素子の駆動を制御して時分割で画像を取得し、その画像を合成することにより、いわゆる黒つぶれ及び白とびのない高ダイナミックレンジの画像を生成することができる。
【０１３４】
また、光源装置１１２０３は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Ｎａｒｒｏｗ  Ｂａｎｄ  Ｉｍａｇｉｎｇ）が行われる。あるいは、特殊光観察では、励起光を照射することにより発生する蛍光により画像を得る蛍光観察が行われてもよい。蛍光観察では、体組織に励起光を照射し当該体組織からの蛍光を観察すること（自家蛍光観察）、又はインドシアニングリーン（ＩＣＧ）等の試薬を体組織に局注するとともに当該体組織にその試薬の蛍光波長に対応した励起光を照射し蛍光像を得ること等を行うことができる。光源装置１１２０３は、このような特殊光観察に対応した狭帯域光及び／又は励起光を供給可能に構成され得る。
【０１３５】
図１４は、図１３に示すカメラヘッド１１１０２及びＣＣＵ１１２０１の機能構成の一例を示すブロック図である。
【０１３６】
カメラヘッド１１１０２は、レンズユニット１１４０１と、撮像部１１４０２と、駆動部１１４０３と、通信部１１４０４と、カメラヘッド制御部１１４０５と、を有する。ＣＣＵ１１２０１は、通信部１１４１１と、画像処理部１１４１２と、制御部１１４１３と、を有する。カメラヘッド１１１０２とＣＣＵ１１２０１とは、伝送ケーブル１１４００によって互いに通信可能に接続されている。
【０１３７】
レンズユニット１１４０１は、鏡筒１１１０１との接続部に設けられる光学系である。鏡筒１１１０１の先端から取り込まれた観察光は、カメラヘッド１１１０２まで導光され、当該レンズユニット１１４０１に入射する。レンズユニット１１４０１は、ズームレンズ及びフォーカスレンズを含む複数のレンズが組み合わされて構成される。
【０１３８】
撮像部１１４０２は、撮像素子で構成される。撮像部１１４０２を構成する撮像素子は、１つ（いわゆる単板式）であってもよいし、複数（いわゆる多板式）であってもよい。撮像部１１４０２が多板式で構成される場合には、例えば各撮像素子によってＲＧＢそれぞれに対応する画像信号が生成され、それらが合成されることによりカラー画像が得られてもよい。あるいは、撮像部１１４０２は、３Ｄ（Ｄｉｍｅｎｓｉｏｎａｌ）表示に対応する右目用及び左目用の画像信号をそれぞれ取得するための１対の撮像素子を有するように構成されてもよい。３Ｄ表示が行われることにより、術者１１１３１は術部における生体組織の奥行きをより正確に把握することが可能になる。なお、撮像部１１４０２が多板式で構成される場合には、各撮像素子に対応して、レンズユニット１１４０１も複数系統設けられ得る。
【０１３９】
また、撮像部１１４０２は、必ずしもカメラヘッド１１１０２に設けられなくてもよい。例えば、撮像部１１４０２は、鏡筒１１１０１の内部に、対物レンズの直後に設けられてもよい。
【０１４０】
駆動部１１４０３は、アクチュエータによって構成され、カメラヘッド制御部１１４０５からの制御により、レンズユニット１１４０１のズームレンズ及びフォーカスレンズを光軸に沿って所定の距離だけ移動させる。これにより、撮像部１１４０２による撮像画像の倍率及び焦点が適宜調整され得る。
【０１４１】
通信部１１４０４は、ＣＣＵ１１２０１との間で各種の情報を送受信するための通信装置によって構成される。通信部１１４０４は、撮像部１１４０２から得た画像信号をＲＡＷデータとして伝送ケーブル１１４００を介してＣＣＵ１１２０１に送信する。
【０１４２】
また、通信部１１４０４は、ＣＣＵ１１２０１から、カメラヘッド１１１０２の駆動を制御するための制御信号を受信し、カメラヘッド制御部１１４０５に供給する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。
【０１４３】
なお、上記のフレームレートや露出値、倍率、焦点等の撮像条件は、ユーザによって適宜指定されてもよいし、取得された画像信号に基づいてＣＣＵ１１２０１の制御部１１４１３によって自動的に設定されてもよい。後者の場合には、いわゆるＡＥ（Ａｕｔｏ  Ｅｘｐｏｓｕｒｅ）機能、ＡＦ（Ａｕｔｏ  Ｆｏｃｕｓ）機能及びＡＷＢ（Ａｕｔｏ  Ｗｈｉｔｅ  Ｂａｌａｎｃｅ）機能が内視鏡１１１００に搭載されていることになる。
【０１４４】
カメラヘッド制御部１１４０５は、通信部１１４０４を介して受信したＣＣＵ１１２０１からの制御信号に基づいて、カメラヘッド１１１０２の駆動を制御する。
【０１４５】
通信部１１４１１は、カメラヘッド１１１０２との間で各種の情報を送受信するための通信装置によって構成される。通信部１１４１１は、カメラヘッド１１１０２から、伝送ケーブル１１４００を介して送信される画像信号を受信する。
【０１４６】
また、通信部１１４１１は、カメラヘッド１１１０２に対して、カメラヘッド１１１０２の駆動を制御するための制御信号を送信する。画像信号や制御信号は、電気通信や光通信等によって送信することができる。
【０１４７】
画像処理部１１４１２は、カメラヘッド１１１０２から送信されたＲＡＷデータである画像信号に対して各種の画像処理を施す。
【０１４８】
制御部１１４１３は、内視鏡１１１００による術部等の撮像、及び、術部等の撮像により得られる撮像画像の表示に関する各種の制御を行う。例えば、制御部１１４１３は、カメラヘッド１１１０２の駆動を制御するための制御信号を生成する。
【０１４９】
また、制御部１１４１３は、画像処理部１１４１２によって画像処理が施された画像信号に基づいて、術部等が映った撮像画像を表示装置１１２０２に表示させる。この際、制御部１１４１３は、各種の画像認識技術を用いて撮像画像内における各種の物体を認識してもよい。例えば、制御部１１４１３は、撮像画像に含まれる物体のエッジの形状や色等を検出することにより、鉗子等の術具、特定の生体部位、出血、エネルギー処置具１１１１２の使用時のミスト等を認識することができる。制御部１１４１３は、表示装置１１２０２に撮像画像を表示させる際に、その認識結果を用いて、各種の手術支援情報を当該術部の画像に重畳表示させてもよい。手術支援情報が重畳表示され、術者１１１３１に提示されることにより、術者１１１３１の負担を軽減することや、術者１１１３１が確実に手術を進めることが可能になる。
【０１５０】
カメラヘッド１１１０２及びＣＣＵ１１２０１を接続する伝送ケーブル１１４００は、電気信号の通信に対応した電気信号ケーブル、光通信に対応した光ファイバ、又はこれらの複合ケーブルである。
【０１５１】
ここで、図示する例では、伝送ケーブル１１４００を用いて有線で通信が行われていたが、カメラヘッド１１１０２とＣＣＵ１１２０１との間の通信は無線で行われてもよい。
【０１５２】
以上、本開示に係る技術が適用され得る内視鏡手術システムの一例について説明した。本開示に係る技術は、以上説明した構成のうち、例えば、内視鏡１１１００や、カメラヘッド１１１０２（の撮像部１１４０２）、ＣＣＵ１１２０１（の画像処理部１１４１２）等に適用され得る。具体的には、例えば、図２乃至図１０の撮像装置１は、レンズユニット１１４０１および撮像部１０４０２に適用することができる。レンズユニット１１４０１および撮像部１０４０２に本開示に係る技術を適用することにより、フレアやゴーストの発生を抑制させることが可能となる。
【０１５３】
なお、ここでは、一例として内視鏡手術システムについて説明したが、本開示に係る技術は、その他、例えば、顕微鏡手術システム等に適用されてもよい。
【０１５４】
＜１１．移動体への応用例＞
本開示に係る技術（本技術）は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【０１５５】
図１５は、本開示に係る技術が適用され得る移動体制御システムの一例である車両制御システムの概略的な構成例を示すブロック図である。
【０１５６】
車両制御システム１２０００は、通信ネットワーク１２００１を介して接続された複数の電子制御ユニットを備える。図１５に示した例では、車両制御システム１２０００は、駆動系制御ユニット１２０１０、ボディ系制御ユニット１２０２０、車外情報検出ユニット１２０３０、車内情報検出ユニット１２０４０、及び統合制御ユニット１２０５０を備える。また、統合制御ユニット１２０５０の機能構成として、マイクロコンピュータ１２０５１、音声画像出力部１２０５２、及び車載ネットワークＩ／Ｆ（ｉｎｔｅｒｆａｃｅ）１２０５３が図示されている。
【０１５７】
駆動系制御ユニット１２０１０は、各種プログラムにしたがって車両の駆動系に関連する装置の動作を制御する。例えば、駆動系制御ユニット１２０１０は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【０１５８】
ボディ系制御ユニット１２０２０は、各種プログラムにしたがって車体に装備された各種装置の動作を制御する。例えば、ボディ系制御ユニット１２０２０は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット１２０２０には、鍵を代替する携帯機から発信される電波又は各種スイッチの信号が入力され得る。ボディ系制御ユニット１２０２０は、これらの電波又は信号の入力を受け付け、車両のドアロック装置、パワーウィンドウ装置、ランプ等を制御する。
【０１５９】
車外情報検出ユニット１２０３０は、車両制御システム１２０００を搭載した車両の外部の情報を検出する。例えば、車外情報検出ユニット１２０３０には、撮像部１２０３１が接続される。車外情報検出ユニット１２０３０は、撮像部１２０３１に車外の画像を撮像させるとともに、撮像された画像を受信する。車外情報検出ユニット１２０３０は、受信した画像に基づいて、人、車、障害物、標識又は路面上の文字等の物体検出処理又は距離検出処理を行ってもよい。
【０１６０】
撮像部１２０３１は、光を受光し、その光の受光量に応じた電気信号を出力する光センサである。撮像部１２０３１は、電気信号を画像として出力することもできるし、測距の情報として出力することもできる。また、撮像部１２０３１が受光する光は、可視光であっても良いし、赤外線等の非可視光であっても良い。
【０１６１】
車内情報検出ユニット１２０４０は、車内の情報を検出する。車内情報検出ユニット１２０４０には、例えば、運転者の状態を検出する運転者状態検出部１２０４１が接続される。運転者状態検出部１２０４１は、例えば運転者を撮像するカメラを含み、車内情報検出ユニット１２０４０は、運転者状態検出部１２０４１から入力される検出情報に基づいて、運転者の疲労度合い又は集中度合いを算出してもよいし、運転者が居眠りをしていないかを判別してもよい。
【０１６２】
マイクロコンピュータ１２０５１は、車外情報検出ユニット１２０３０又は車内情報検出ユニット１２０４０で取得される車内外の情報に基づいて、駆動力発生装置、ステアリング機構又は制動装置の制御目標値を演算し、駆動系制御ユニット１２０１０に対して制御指令を出力することができる。例えば、マイクロコンピュータ１２０５１は、車両の衝突回避あるいは衝撃緩和、車間距離に基づく追従走行、車速維持走行、車両の衝突警告、又は車両のレーン逸脱警告等を含むＡＤＡＳ（Ａｄｖａｎｃｅｄ  Ｄｒｉｖｅｒ  Ａｓｓｉｓｔａｎｃｅ  Ｓｙｓｔｅｍ）の機能実現を目的とした協調制御を行うことができる。
【０１６３】
また、マイクロコンピュータ１２０５１は、車外情報検出ユニット１２０３０又は車内情報検出ユニット１２０４０で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【０１６４】
また、マイクロコンピュータ１２０５１は、車外情報検出ユニット１２０３０で取得される車外の情報に基づいて、ボディ系制御ユニット１２０２０に対して制御指令を出力することができる。例えば、マイクロコンピュータ１２０５１は、車外情報検出ユニット１２０３０で検知した先行車又は対向車の位置に応じてヘッドランプを制御し、ハイビームをロービームに切り替える等の防眩を図ることを目的とした協調制御を行うことができる。
【０１６５】
音声画像出力部１２０５２は、車両の搭乗者又は車外に対して、視覚的又は聴覚的に情報を通知することが可能な出力装置へ音声及び画像のうちの少なくとも一方の出力信号を送信する。図１５の例では、出力装置として、オーディオスピーカ１２０６１、表示部１２０６２及びインストルメントパネル１２０６３が例示されている。表示部１２０６２は、例えば、オンボードディスプレイ及びヘッドアップディスプレイの少なくとも一つを含んでいてもよい。
【０１６６】
図１６は、撮像部１２０３１の設置位置の例を示す図である。
【０１６７】
図１６では、車両１２１００は、撮像部１２０３１として、撮像部１２１０１，１２１０２，１２１０３，１２１０４，１２１０５を有する。
【０１６８】
撮像部１２１０１，１２１０２，１２１０３，１２１０４，１２１０５は、例えば、車両１２１００のフロントノーズ、サイドミラー、リアバンパ、バックドア及び車室内のフロントガラスの上部等の位置に設けられる。フロントノーズに備えられる撮像部１２１０１及び車室内のフロントガラスの上部に備えられる撮像部１２１０５は、主として車両１２１００の前方の画像を取得する。サイドミラーに備えられる撮像部１２１０２，１２１０３は、主として車両１２１００の側方の画像を取得する。リアバンパ又はバックドアに備えられる撮像部１２１０４は、主として車両１２１００の後方の画像を取得する。撮像部１２１０１及び１２１０５で取得される前方の画像は、主として先行車両又は、歩行者、障害物、信号機、交通標識又は車線等の検出に用いられる。
【０１６９】
なお、図１６には、撮像部１２１０１ないし１２１０４の撮影範囲の一例が示されている。撮像範囲１２１１１は、フロントノーズに設けられた撮像部１２１０１の撮像範囲を示し、撮像範囲１２１１２，１２１１３は、それぞれサイドミラーに設けられた撮像部１２１０２，１２１０３の撮像範囲を示し、撮像範囲１２１１４は、リアバンパ又はバックドアに設けられた撮像部１２１０４の撮像範囲を示す。例えば、撮像部１２１０１ないし１２１０４で撮像された画像データが重ね合わせられることにより、車両１２１００を上方から見た俯瞰画像が得られる。
【０１７０】
撮像部１２１０１ないし１２１０４の少なくとも１つは、距離情報を取得する機能を有していてもよい。例えば、撮像部１２１０１ないし１２１０４の少なくとも１つは、複数の撮像素子からなるステレオカメラであってもよいし、位相差検出用の画素を有する撮像素子であってもよい。
【０１７１】
例えば、マイクロコンピュータ１２０５１は、撮像部１２１０１ないし１２１０４から得られた距離情報を基に、撮像範囲１２１１１ないし１２１１４内における各立体物までの距離と、この距離の時間的変化（車両１２１００に対する相対速度）を求めることにより、特に車両１２１００の進行路上にある最も近い立体物で、車両１２１００と略同じ方向に所定の速度（例えば、０ｋｍ／ｈ以上）で走行する立体物を先行車として抽出することができる。さらに、マイクロコンピュータ１２０５１は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０１７２】
例えば、マイクロコンピュータ１２０５１は、撮像部１２１０１ないし１２１０４から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ１２０５１は、車両１２１００の周辺の障害物を、車両１２１００のドライバが視認可能な障害物と視認困難な障害物とに識別する。そして、マイクロコンピュータ１２０５１は、各障害物との衝突の危険度を示す衝突リスクを判断し、衝突リスクが設定値以上で衝突可能性がある状況であるときには、オーディオスピーカ１２０６１や表示部１２０６２を介してドライバに警報を出力することや、駆動系制御ユニット１２０１０を介して強制減速や回避操舵を行うことで、衝突回避のための運転支援を行うことができる。
【０１７３】
撮像部１２１０１ないし１２１０４の少なくとも１つは、赤外線を検出する赤外線カメラであってもよい。例えば、マイクロコンピュータ１２０５１は、撮像部１２１０１ないし１２１０４の撮像画像中に歩行者が存在するか否かを判定することで歩行者を認識することができる。かかる歩行者の認識は、例えば赤外線カメラとしての撮像部１２１０１ないし１２１０４の撮像画像における特徴点を抽出する手順と、物体の輪郭を示す一連の特徴点にパターンマッチング処理を行って歩行者か否かを判別する手順によって行われる。マイクロコンピュータ１２０５１が、撮像部１２１０１ないし１２１０４の撮像画像中に歩行者が存在すると判定し、歩行者を認識すると、音声画像出力部１２０５２は、当該認識された歩行者に強調のための方形輪郭線を重畳表示するように、表示部１２０６２を制御する。また、音声画像出力部１２０５２は、歩行者を示すアイコン等を所望の位置に表示するように表示部１２０６２を制御してもよい。
【０１７４】
以上、本開示に係る技術が適用され得る車両制御システムの一例について説明した。本開示に係る技術は、以上説明した構成のうち、例えば、撮像部１２０３１に適用され得る。具体的には、例えば、図２乃至図１０の撮像装置１は、撮像部１２０３１に適用することができる。撮像部１２０３１に本開示に係る技術を適用することにより、フレアやゴーストの発生を抑制させることが可能となる。
【０１７５】
尚、本開示は、以下のような構成も取ることができる。
＜１＞  アレイ状に配置された画素単位で光電変換により入射光の光量に応じた画素信号を生成する画素アレイと、
前記画素アレイの受光面に貼り合わされるガラス基板と、
前記画素アレイの有効画素領域より外側である周辺部に形成される遮光膜とを含み、
前記遮光膜は、前記入射光の入射方向に対して、前記ガラス基板の前段に形成される
撮像装置。
＜２＞  前記遮光膜は、前記ガラス基板上に形成される
＜１＞に記載の撮像装置。
＜３＞  前記ガラス基板の前段であって、前記ガラス基板上、および前記遮光膜上に、前記入射光のうち、赤外光をカットする赤外光カットフィルタがさらに形成される
＜２＞に記載の撮像装置。
＜４＞  前記赤外光カットフィルタの前段であって、前記赤外光カットフィルタ上に非平坦膜がさらに形成される
＜３＞に記載の撮像装置。
＜５＞  前記非平坦膜は、非平坦性が所定値より高い
＜３＞に記載の撮像装置。
＜６＞  前記遮光膜は、感光性のブラックレジストであり、前記ガラス基板上にフォトリソグラフィにより形成される
＜２＞に記載の撮像装置。
＜７＞  前記ガラス基板における受光面に、前記入射光のうち、赤外光をカットする赤外光カットフィルタをさらに含み、
前記遮光膜は、前記赤外光カットフィルタの前段に形成される
＜１＞に記載の撮像装置。
＜８＞  前記遮光膜は、前記赤外光カットフィルタ上に形成される
＜７＞に記載の撮像装置。
＜９＞  前記赤外光カットフィルタの前段に形成される非平坦膜をさらに含む
＜８＞に記載の撮像装置。
＜１０＞  前記非平坦膜は、所定の非平坦性より高い
＜９＞に記載の撮像装置。
＜１１＞  前記遮光膜は、感光性のブラックレジストであり、前記赤外光カットフィルタ上にフォトリソグラフィにより形成される
＜８＞に記載の撮像装置。
＜１２＞  前記ガラス基板における受光面に、前記入射光のうち、赤外光をカットする赤外光カットフィルタと、
前記赤外光カットフィルタの前段に形成される非平坦膜とをさらに含み、
前記遮光膜は、前記非平坦膜の前段に形成される
＜１＞に記載の撮像装置。
＜１３＞  前記遮光膜は、前記非平坦膜上に形成される
＜１２＞に記載の撮像装置。
＜１４＞  前記遮光膜は、非感光性のブラックレジストであり、前記非平坦膜上にインクジェットにより形成される
＜１３＞に記載の撮像装置。
＜１５＞  前記非平坦膜は、所定の非平坦性より高い
＜１３＞に記載の撮像装置。
＜１６＞  前記ガラス基板は、透明の接着剤により前記画素アレイの受光面に貼り合わされる
＜１＞乃至＜１５＞のいずれかに記載の撮像装置。
＜１７＞  前記画素アレイと前記ガラス基板とは、キャビティのある状態で貼り合わされている
＜１６＞に記載の撮像装置。
＜１８＞  前記キャビティは、スペーサにより形成される
＜１７＞に記載の撮像装置。
＜１９＞  アレイ状に配置された画素単位で光電変換により入射光の光量に応じた画素信号を生成する画素アレイと、
前記画素アレイの受光面に貼り合わされるガラス基板と、
前記画素アレイの有効画素領域より外側である周辺部に形成される遮光膜とを含み、
前記遮光膜は、前記入射光の入射方向に対して、前記ガラス基板の前段に形成される
固体撮像素子。
＜２０＞  アレイ状に配置された画素単位で光電変換により入射光の光量に応じた画素信号を生成する画素アレイと、
前記画素アレイの受光面に貼り合わされるガラス基板と、
前記画素アレイの有効画素領域より外側である周辺部に形成される遮光膜とを含み、
前記遮光膜は、前記入射光の入射方向に対して、前記ガラス基板の前段に形成される
電子機器。
【符号の説明】
【０１７６】
１  撮像装置，  １１  ケース，  １２  レンズ群，  １３  IRCF，  １３ａ  遮光膜，  １４  固体撮像素子，  ３１  画素アレイ，  ３２  接着剤，  ３３  ガラス基板，  ３４  遮光膜，  ５１  IRCF，  ７１  非平坦膜，  ８１  キャビティ，  ９１  スペーサ
【図１】
2018200980.tif 000003
【図２】
2018200980.tif 000004
【図３】
2018200980.tif 000005
【図４】
2018200980.tif 000006
【図５】
2018200980.tif 000007
【図６】
2018200980.tif 000008
【図７】
2018200980.tif 000009
【図８】
2018200980.tif 000010
【図９】
2018200980.tif 000011
【図１０】
2018200980.tif 000012
【図１１】
2018200980.tif 000013
【図１２】
2018200980.tif 000014
【図１３】
2018200980.tif 000015
【図１４】
2018200980.tif 000016
【図１５】
2018200980.tif 000017
【図１６】
2018200980.tif 000018